(57)【要約】【課題】ワイヤーハーネスをワイヤーハーネス案内装置にセットする際、カバーとハーネスケース間におけるバラ線状態のリード線の噛み込みを防止することができるワイヤーハーネス案内装置を提供する。【解決手段】ワイヤーハーネス案内装置１０は、ハーネスケース１１と、ハーネススプール部１７を覆うカバー１４を備える。ハーネスケース１１の壁部１６において、ハーネス口１２ｂ（第２の口）に隣接する部位には、ハーネスケース１１の軸部１８に嵌合するキャップ２２を先端に備えて、キャップ２２が軸部１８の先端に嵌合した際に、壁部１６と軸部１８に架橋する噛込防止部材２０が連結されている。ワイヤーハーネス３０をワイヤーハーネス案内装置１０にセットする際、噛込防止部材２０は、カバー１４が閉鎖状態の際に、軸部１８と壁部１６間に架橋することにより、カバー１４とハーネスケース１１間におけるバラ線状態のリード線３２の噛み込みを防止する。【選択図】図３
2017001608.tif 000002
【特許請求の範囲】
【請求項１】
底壁と前記底壁から立設された壁部とにより区画されたハーネススプール部を有し、前記ハーネススプール部内には前記底壁から立設されてバラ線状の複数のリード線の束からなるワイヤーハーネスが巻回される軸部を有し、前記壁部には前記ワイヤーハーネスの一方の端を可動体側へ導出する第１の口と、前記壁部に設けられて前記ワイヤーハーネスの他方の端を固定体側へ導出する第２の口と、を有するハーネスケースと、前記ハーネススプール部を覆うカバーとを備えるワイヤーハーネス案内装置であって、
前記壁部において、前記第１の口に隣接する部位、または、前記第２の口に隣接する部位には、前記軸部に嵌合する嵌合部を先端に備えて、前記嵌合部が前記軸部の先端に嵌合した際に、前記壁部と前記軸部に架橋する噛込防止部材が連結されているワイヤーハーネス案内装置。
【請求項２】
前記カバーは、インテグラルヒンジを介して前記ハーネスケースに一体に連結されている請求項１に記載のワイヤーハーネス案内装置。
【請求項３】
前記カバーは、前記ハーネスケースに対して閉鎖状態で、前記軸部の先端に嵌合した前記嵌合部を押さえて該嵌合部の前記軸部に対する嵌合を保持する保持部を有する請求項１または請求項２に記載のワイヤーハーネス案内装置。
【請求項４】
前記カバーは、前記軸部に嵌合した嵌合部の嵌合状態を視認可能な透孔を有する請求項１乃至請求項３のいずれか１項に記載のワイヤーハーネス案内装置。
【請求項５】
前記壁部において、前記第２の口に隣接する部位に前記噛込防止部材が連結されている場合には、前記第１の口から前記可動体側へ導出される前記ワイヤーハーネスの部位が、前記第２の口から前記固定体側へ導出される前記ワイヤーハーネスの部位よりも前記カバーに近接して巻回されるものに使用される請求項１乃至請求項４のうちいずれか１項に記載のワイヤーハーネス案内装置。
【請求項６】
前記壁部において、前記第１の口に隣接する部位に前記噛込防止部材が連結されている場合には、前記第２の口から前記固定体側へ導出される前記ワイヤーハーネスの部位が、前記第１の口から前記可動体側へ導出される前記ワイヤーハーネスの部位よりも前記カバーに近接して巻回されるものに使用される請求項１乃至請求項４のうちいずれか１項に記載のワイヤーハーネス案内装置。
【発明の詳細な説明】
【技術分野】
【０００１】
本発明は、ワイヤーハーネス案内装置に関する。
【背景技術】
【０００２】
従来、自動車のテレスコピック機構を備えたステアリングホイールは、その軸方向において、前記ステアリングホイールの位置が調整可能となっている。また、前記ステアリングホイールには、ステアリングホイールに付設されたスイッチ部等に接続されるワイヤーハーネスを伸縮させるためのワイヤーハーネス案内装置が設けられている（特許文献１）。
【０００３】
このワイヤーハーネス案内装置の一例を、図６を参照して説明する。図６に示すように、図示しないステアリングホイールが取付けられているステアリングシャフト６０は、ステアリングコラム５０に対して、テレスコピック機構によりその位置調整が可能になっている。ステアリングコラム５０は、車両メンバに対してブラケット（ともに図示しない）を介して取付けられている。
【０００４】
ワイヤーハーネス８０は、ステアリングコラム５０に対してブラケット５０ａを介して固定されたワイヤーハーネス案内装置７０内においてループ状に遊びをもって巻回されている。そして、ワイヤーハーネス８０は、その一端がワイヤーハーネス案内装置７０から導出されて、前記図示しないステアリングホイール側に延出されてステアリングホイールのスイッチ部（図示しない）に接続され、他端がワイヤーハーネス案内装置７０内から外部に導出されて、図示しない固定端子に接続されている。
【０００５】
そして、図６に示すように、テレスコピック機構により、ステアリングシャフト６０が矢印方向に移動すると、ワイヤーハーネス案内装置７０から図示しないステアリングホイール側に延出されたワイヤーハーネス８０は、同方向に移動する。なお、このワイヤーハーネス８０の移動は、ワイヤーハーネス案内装置７０内に遊びをもって巻回されているため、支障なく行われる。
【０００６】
すなわち、ステアリングシャフト６０が延びる方向（図６では、左上方向）に移動すると、図示しないスイッチ部に接続されたワイヤーハーネス８０はステアリングシャフト６０の移動に追従し、ワイヤーハーネス案内装置７０からの露出量が増加するとともに、ワイヤーハーネス案内装置７０内のワイヤーハーネス８０の巻回径が縮小する。また、ステアリングシャフト６０が縮む方向（図６では、右下方向）に移動すると、ワイヤーハーネス８０は、ステアリングシャフト６０の移動に追従し、ワイヤーハーネス案内装置７０からの露出量が減少するとともにワイヤーハーネス案内装置７０内の巻回径が増大する。
【０００７】
ところで、ワイヤーハーネス８０は、複数のリード線８２が束ねられて構成されている。特許文献１で説明されているように、ワイヤーハーネス案内装置７０に設けられたハーネス口７２ａを出入りする部分では、剛性を有するように剛性ワイヤ部８４が形成されている。図６の例では、例えば、剛性ワイヤ部８４は、可撓性または弾性を有する筒状部材に複数のリード線８２が挿通されていることにより、剛性が付与されている。
【０００８】
このように、剛性ワイヤ部８４を設けることにより、特にワイヤーハーネス８０が縮小する際にハーネス口７２ａ部分で座屈が生じないようにされている。
一方、従来、ワイヤーハーネス案内装置７０内において、ループ状に巻回される部分ではリード線８２をバラ線状態にすることにより、ワイヤーハーネス案内装置７０内のワイヤーハーネス８０の巻回状態が変化する際にループの外側及び内側に位置するリード線８２に働く張力等を緩和するようにしている。
【０００９】
このようなワイヤーハーネス８０を、ワイヤーハーネス案内装置７０内にセット（収納）する作業について説明する。まず、ワイヤーハーネス案内装置７０の構成を、図７を参照して説明する。
【００１０】
図７に示すように、ワイヤーハーネス案内装置７０は、ハーネスケース７１と、ハーネスケース７１に対してインテグラルヒンジ７３を介して一体に連結されたカバー７４を備えている。ハーネスケース７１は、底壁７５と、底壁７５の周縁から立設した壁部７６を備え、底壁７５と壁部７６で囲まれた空間をハーネススプール部７７としている。壁部７６には、一対のハーネス口７２ａ、７２ｂが形成されて外部とハーネススプール部７７とが連通されている。また、底壁７５には、軸部７８が立設されている。
【００１１】
ワイヤーハーネス８０をワイヤーハーネス案内装置７０内にセットする際は、カバー７４を開けた状態で、ワイヤーハーネス８０をハーネス口７２ｂ内に通した後、ハーネススプール部７７内の軸部７８に対して、バラ線状態のリード線８２を巻回し、その後、ハーネス口７２ａに剛性ワイヤ部８４を通す。この後、開いていたカバー７４を閉じて、カバー７４に設けられた爪７９を壁部７６の爪嵌合部７６ａに嵌合する。
【００１２】
或いは、バラ線状態の部位をループ状にした状態で、そのループ状の部位を軸部７８に通すとともに、ハーネス口７２ａ、７２ｂに剛性ワイヤ部８４等のワイヤーハーネス８０の部位を嵌めるようにしてセットする。その後、開いていたカバー７４を閉じて、カバー７４に設けられた爪７９を壁部７６の爪嵌合部７６ａに嵌合する。なお、図７において、７４ａは、カバー７４が閉じられた状態のさきに軸部７８の先端が挿入される透孔である。
【先行技術文献】
【特許文献】
【００１３】
【特許文献１】特開平７−２７７１０４号公報
【発明の概要】
【発明が解決しようとする課題】
【００１４】
ところが、上記のようにワイヤーハーネス８０をワイヤーハーネス案内装置７０にセットする際に、図７の二点鎖線で示すようにバラ線状態のリード線８２が、インテグラルヒンジ７３が設けられている壁部７６に引っかかる虞がある。さらに、作業者がこのことに気がつかないでカバー７４をハーネスケース７１に対して閉じた状態にしてしまうと、カバー７４とハーネスケース７１間に挟まれてしまう虞がある。
【００１５】
本発明の目的は、ワイヤーハーネスをワイヤーハーネス案内装置にセットする際、カバーとハーネスケース間におけるバラ線状態のリード線の噛み込みを防止することができるワイヤーハーネス案内装置を提供することにある。
【課題を解決するための手段】
【００１６】
上記問題点を解決するために、本発明は、底壁と前記底壁から立設された壁部とにより区画されたハーネススプール部を有し、前記ハーネススプール部内には前記底壁から立設されてバラ線状態の複数のリード線の束からなるワイヤーハーネスが巻回される軸部を有し、前記壁部には前記ワイヤーハーネスの一方の端を可動体側へ導出する第１の口と、前記壁部に設けられて前記ワイヤーハーネスの他方の端を固定体側へ導出する第２の口と、を有するハーネスケースと、前記ハーネススプール部を覆うカバーとを備えるワイヤーハーネス案内装置であって、前記壁部において、前記第１の口に隣接する部位、または、前記第２の口に隣接する部位には、前記軸部に嵌合する嵌合部を先端に備えて、前記嵌合部が前記軸部の先端に嵌合した際に、前記壁部と前記軸部に架橋する噛込防止部材が連結されているものである。
【００１７】
また、前記カバーは、インテグラルヒンジを介して前記ハーネスケースに一体に連結されていることが好ましい。
また、前記カバーは、前記ハーネスケースに対して閉鎖状態で、前記軸部の先端に嵌合した前記嵌合部を押さえて該嵌合部の前記軸部に対する嵌合を保持する保持部を有することが好ましい。
【００１８】
また、前記カバーは、前記軸部に嵌合した嵌合部の嵌合状態を視認可能な透孔を有していてもよい。
また、前記壁部において、前記第１の口に隣接する部位に前記噛込防止部材が連結されている場合には、前記第１の口から前記可動体側へ導出される前記ワイヤーハーネスの部位が、前記第２の口から前記固定体側へ導出される前記ワイヤーハーネスの部位よりも前記カバーに近接して巻回されるものに使用されることが好ましい。
【００１９】
また、前記壁部において、前記第２の口に隣接する部位に前記噛込防止部材が連結されている場合には、前記第２の口から前記固定体側へ導出される前記ワイヤーハーネスの部位が、前記第１の口から前記可動体側へ導出される前記ワイヤーハーネスの部位よりも前記カバーに近接して巻回されるものに使用されることが好ましい。
【発明の効果】
【００２０】
本発明によれば、ワイヤーハーネスをワイヤーハーネス案内装置にセットする際、カバーとハーネスケース間におけるバラ線状態のリード線の噛み込みを防止することができる効果を奏する。
【図面の簡単な説明】
【００２１】
【図１】一実施形態におけるカバーを開けた状態のワイヤーハーネス案内装置の斜視図。
【図２】カバーが閉鎖状態のワイヤーハーネス案内装置の斜視図。
【図３】ワイヤーハーネスをハーネススプール部にセットした状態のワイヤーハーネス案内装置の斜視図。
【図４】カバーが閉鎖状態のワイヤーハーネス案内装置の要部断面図。
【図５】他の実施形態におけるカバーを開けた状態のワイヤーハーネス案内装置の斜視図。
【図６】テレスコピック機構を有するステアリングシャフトとワイヤーハーネス案内装置との関係を示す説明図。
【図７】従来のカバーを開けた状態のワイヤーハーネス案内装置の斜視図。
【発明を実施するための形態】
【００２２】
（第１実施形態）
以下、図１〜図４を参照して本発明のワイヤーハーネス案内装置を具体化した一実施形態を説明する。
【００２３】
図１に示すように、ワイヤーハーネス案内装置１０は、合成樹脂により一体形成されて、ハーネスケース１１と、ハーネスケース１１に対してインテグラルヒンジ１３を介して一体に連結されたカバー１４を備えている。
【００２４】
ハーネスケース１１は、底壁１５と、底壁１５の周縁から立設した壁部１６を備え、底壁１５と壁部１６で囲まれた空間をハーネススプール部１７としている。壁部１６において、互いに対向する部位には、一対のハーネス口１２ａ、１２ｂが形成されていて、外部とハーネススプール部１７とが連通されている。ハーネス口１２ａは、第１の口に相当する。ハーネス口１２ｂは、第２の口に相当する。壁部１６の外面には、複数の爪嵌合部１６ａが形成されている。各爪嵌合部１６ａには、カバー１４において、ハーネスケース１１側に突出した複数の爪１９がそれぞれ無理嵌め嵌合が可能となっている。
【００２５】
また、底壁１５には、軸部１８が立設されている。
カバー１４は、前記爪１９がハーネスケース１１の爪嵌合部１６ａに嵌合された状態で、壁部１６の上端周面に対して外嵌する大きさに形成されており、この状態でハーネススプール部１７の開口（すなわち、ハーネスケース１１の、ハーネス口１２ａ、１２ｂを除いた開口）を閉鎖するようにしている。以下、カバー１４が、ハーネススプール部１７の開口（すなわち、ハーネスケース１１の、ハーネス口１２ａ、１２ｂを除いた開口）を閉鎖している状態を閉鎖状態という。カバー１４には、前記閉鎖状態で、軸部１８と対向する透孔１４ａが形成されている。
【００２６】
カバー１４のインテグラルヒンジ１３を有する壁部１６において、ハーネス口１２ｂ（第２の口）の近傍には、噛込防止部材２０がインテグラルヒンジ２１を介して一体に形成されている。噛込防止部材２０の先端には、軸部１８の先端に外嵌可能に嵌合部としてのキャップ２２が形成されている。
【００２７】
図４に示すように、キャップ２２において、軸部１８に外嵌する凹部を有する面と反対側の面には、段部２３を介して突部２４が突出形成されている。突部２４は、カバー１４の透孔１４ａ内に挿入可能な大きさに形成されている。また、段部２３は、キャップ２２が軸部１８に外嵌した状態で、カバー１４が閉鎖状態のときには、カバー１４の内面に当接可能に形成されている。カバー１４の内面１４ｃは、キャップ２２を軸部１８から離脱させないように、キャップ２２の軸部１８に対する嵌合を保持する保持部に相当する。
【００２８】
また、カバー１４の上面には、従来例で説明した、ステアリングコラム５０（図６参照）に設けられたブラケット５０ａに取付け固定するための取付部１４ｂが設けられている。
【００２９】
前記ワイヤーハーネスの構成は、前記従来例と同じであるため、従来例で付した符号（すなわち、数値）において、１０の位の「８」の代りに「３」の数値を付すものとし、１の位は同じ数値を付すものとする。なお、本実施形態では、ワイヤーハーネス３０において、剛性ワイヤ部は、ハーネス口１２ｂに配される部分にも設けられており、この部分の剛性ワイヤ部には、符号「３５」を付すものとする。
【００３０】
なお、本実施形態では、ワイヤーハーネス３０において、ハーネス口１２ａから外部に導出された端部は、従来と同様にステアリングホイールのスイッチ部（図示しない）に接続される。また、ワイヤーハーネス３０において、ハーネス口１２ｂから外部に導出された端部は、従来と同様に固定端子（図示しない）に接続される。
【００３１】
前記ステアリングホイールのスイッチ部側（図示しない）が可動体に相当し、前記固定端子（図示しない）が固定体に相当する。
（実施形態の作用）
上記のように構成されたワイヤーハーネス案内装置１０の作用を説明する。
【００３２】
図３に示すように、ワイヤーハーネス３０をワイヤーハーネス案内装置１０内にセットする際は、カバー１４を開けた状態で、ワイヤーハーネス３０の剛性ワイヤ部３５をハーネス口１２ｂ内に通した後、ハーネススプール部１７内の軸部１８に対して、バラ線状態の複数のリード線３２を巻回し、その後、ハーネス口１２ａに剛性ワイヤ部３４を通す。
【００３３】
図４に示すように、この後、噛込防止部材２０のキャップ２２を軸部１８の先端に外嵌して被せた状態にする。このように噛込防止部材２０のキャップ２２を軸部１８に被せて取付けることにより、バラ線状態の複数のリード線３２を押さえ込みする。そして、開いていたカバー１４を閉じて、カバー１４に設けられた爪１９を壁部１６の爪嵌合部１６ａに嵌合する。この状態で、キャップ２２の突部２４は、透孔１４ａ内に挿入状態となるとともに、段部２３が、カバー１４の内面１４ｃに押さえられた状態となる。この透孔１４ａ内に挿入された状態の突部２４は、カバー１４の外方から視認可能になっている。
【００３４】
なお、ワイヤーハーネス３０のハーネススプール部１７内にセットする方法は、下記のように行ってもよい。
バラ線状態の複数のリード線３２をループ状にした状態で、そのループ状の複数のリード線３２を軸部１８に通すとともに、ハーネス口１２ａ、１２ｂに剛性ワイヤ部３４、３５を嵌めるようにしてセットする。その後の噛込防止部材２０の軸部１８に対する外嵌操作、及びカバー１４を閉じた状態とするのは、前述と同様に行う。
【００３５】
上記のようにワイヤーハーネス３０をワイヤーハーネス案内装置１０にセットすることにより、ハーネス口１２ａから延びるバラ線状態の複数のリード線３２は、噛込防止部材２０により押さえ込まれるため、その後、カバー１４を閉じるときに、ハーネスケース１１とカバー１４との間におけるリード線３２の噛み込みを防止することができる。また、キャップ２２は、閉鎖状態のカバー１４の内面１４ｃに押さえられるため、軸部１８から外れることがない。また、キャップ２２の突部２４が、透孔１４ａ内に挿入されていることにより、キャップ２２の軸部１８に対する嵌合状態が、透孔１４ａを通して視認することができる。
【００３６】
本実施形態によれば、以下のような効果を得ることができる。
（１）本実施形態のワイヤーハーネス案内装置１０は、壁部１６において、ハーネス口１２ｂ（第２の口）に隣接する部位には、軸部１８に嵌合するキャップ２２（嵌合部）を先端に備えて、キャップ２２（嵌合部）が軸部１８の先端に嵌合した際に、壁部１６と軸部１８に架橋する噛込防止部材２０が連結されている。この結果、本実施形態によれば、ワイヤーハーネスをワイヤーハーネス案内装置にセットする際、カバーとハーネスケース間におけるバラ線状態のリード線の噛み込みを防止することができる。
【００３７】
（２）本実施形態のワイヤーハーネス案内装置１０では、カバー１４がインテグラルヒンジ１３を介してハーネスケース１１に一体に連結されている。この結果、本実施形態によれば、インテグラルヒンジを介してカバー１４がハーネスケース１１に取付けられているワイヤーハーネス案内装置１０において、上記（１）の作用効果を奏することができる。
【００３８】
（３）本実施形態のワイヤーハーネス案内装置１０では、カバー１４がハーネスケース１１に対して閉鎖状態で、軸部１８の先端に嵌合したキャップ２２（嵌合部）を押さえて該キャップ（嵌合部）の軸部１８に対する嵌合を保持する内面１４ｃ（保持部）を有している。この結果、本実施形態によれば、キャップ２２、すなわち、噛込防止部材２０が閉鎖状態のカバー１４の内面に押さえられるため、軸部１８から外れることがない。
【００３９】
（４）本実施形態のワイヤーハーネス案内装置１０では、カバー１４は、軸部１８に嵌合したキャップ２２（嵌合部）の嵌合状態を視認可能な透孔１４ａを有する。この結果、本実施形態によれば、キャップ２２の突部２４が、透孔１４ａ内に挿入されていることにより、キャップ２２の軸部１８に対する嵌合状態が、透孔１４ａを通して視認することができる。
【００４０】
（５）本実施形態のワイヤーハーネス案内装置１０では、壁部１６において、ハーネス口１２ｂ（第２の口）に隣接する部位に噛込防止部材２０が連結されている。このワイヤーハーネス案内装置１０は、ハーネス口１２ａ（第１の口）からステアリングホイールの図示しないスイッチ部（可動体）側へ導出されるワイヤーハーネス３０の部位が、ハーネス口１２ｂ（第２の口）から図示しない固定端子（固定体）側へ導出されるワイヤーハーネス３０の部位よりもカバー１４に近接して巻回されるものに適用できる。
【００４１】
（第２実施形態）
次に、第２実施形態のワイヤーハーネス案内装置１０を、図５を参照して説明する。なお、本実施形態において、第１実施形態と同一構成及び相当する構成については、同一符号を付して、その詳細な説明を省略し、異なる構成について説明する。
【００４２】
第１実施形態では、ハーネス口１２ｂ側に隣接した壁部１６に対して噛込防止部材２０を、インテグラルヒンジ２１を介して連結したが、本実施形態では、ハーネス口１２ａに隣接する壁部１６に対して噛込防止部材２０を、インテグラルヒンジ２１を介して連結したところが異なっている。本実施形態のワイヤーハーネス案内装置１０では、壁部１６において、ハーネス口１２ａ（第１の口）に隣接する部位に噛込防止部材２０が連結されている。この結果、ワイヤーハーネス案内装置１０を、ハーネス口１２ｂ（第２の口）から固定端子（固定体）側へ導出されるワイヤーハーネス３０の部位が、ハーネス口１２ａ（第１の口）からステアリングホイールのスイッチ部（可動体）側へ導出されるワイヤーハーネス３０の部位よりもカバー１４に近接して巻回されるものに適用できる。
【００４３】
なお、本実施形態は以下のように変更してもよい。
・前記実施形態では、インテグラルヒンジ１３を設けたが、インテグラルヒンジ１３を省略して、カバー１４を開けた場合、カバー１４がハーネスケース１１から離脱するようにしてもよい。
【００４４】
・前記実施形態では、キャップ２２を嵌合部としたが、嵌合部はキャップに限定するものではない。例えば、噛込防止部材２０の先端には、キャップに代えて、軸部１８の先端外周に外嵌するリング部（図示しない）を設けてもよい。或いは、軸部１８の先端面に凹部（図示しない）を設けるとともに、噛込防止部材２０の先端には、該凹部に内嵌可能な突部（図示しない）を形成してもよい。そして、この場合、突部が前記凹部に内嵌した状態で、該突部を、閉鎖状態のカバー１４の内面に押圧されるようにしてもよい。
【００４５】
・前記実施形態では、カバー１４に透孔１４ａを設けたが、透孔１４ａの代りにキャップ２２の突部２４が挿入可能な凹部としてもよい。この場合は、前記実施形態と異なり、カバー１４の外方から突部２４を見ることはできないが、これでもよい。また、この場合、カバー１４を閉鎖状態としたとき、前記凹部の内底面で、前記突部２４を押さえるようにしてもよい。この場合、前記凹部の内底面が保持部に相当する。
【符号の説明】
【００４６】
１０…ワイヤーハーネス案内装置、１１…ハーネスケース、
１２ａ、１２ｂ…ハーネス口、１３…インテグラルヒンジ、
１４…カバー、１４ａ…透孔、１４ｂ…取付部、１４ｃ…内面（保持部）、
１５…底壁、１６…壁部、１６ａ…爪嵌合部、１７…ハーネススプール部、
１８…軸部、１９…爪、２０…噛込防止部材、２２…キャップ（嵌合部）、
２３…段部、２４…突部、３０…ワイヤーハーネス、３２…リード線、
３４…剛性ワイヤ部、５０…ステアリングコラム、５０ａ…ブラケット、
６０…ステアリングシャフト、７０…ワイヤーハーネス案内装置、
７１…ハーネスケース、７２ａ、７２ｂ…ハーネス口、
７３…インテグラルヒンジ、７４…カバー、７５…底壁、
７６…壁部、７６ａ…爪嵌合部、７７…ハーネススプール部、
７８…軸部、７９…爪、８０…ワイヤーハーネス、８２…リード線、
８４…剛性ワイヤ部。
【図１】
2017001608.tif 000003
【図２】
2017001608.tif 000004
【図３】
2017001608.tif 000005
【図４】
2017001608.tif 000006
【図５】
2017001608.tif 000007
【図６】
2017001608.tif 000008
【図７】
2017001608.tif 000009